(57)【要約】【課題】幼児が手軽に楽しむことができ、しかも室内に設置可能な遊戯装置を提供する。【解決手段】遊戯者が遊戯を行なう遊戯面を有し、該遊戯面は垂直面，傾斜面又は階段状の面をなし、少なくとも該遊戯面を構成する部材３，９が透明な部材から構成された中空構造の遊戯構造体２，８と、遊戯構造体２，８の中空部内の上部位置に配設され、透明部材３，９の内側の面に向けて加圧された液体Ｌを吐出する液吐出手段２０，２１と、遊戯構造体２，８の中空部内の下部領域に貯留された液体Ｌを加圧して液吐出手段２０，２１に供給する液供給手段１５とを備える。【選択図】図１
2005131207.tif 000002
【特許請求の範囲】
【請求項１】
遊戯者が遊戯を行なう遊戯面を有し、該遊戯面は垂直面，傾斜面又は階段状の面をなし、少なくとも該遊戯面を構成する部材が透明な部材から構成された中空構造の遊戯構造体と、
前記遊戯構造体の中空部内の上部位置に配設され、前記透明部材の内側の面に向けて加圧された液体を吐出する液吐出手段と、
前記遊戯構造体の中空部内の下部領域に貯留された液体を加圧して前記液吐出手段に供給する液供給手段とを備えてなることを特徴とする遊戯装置。
【請求項２】
前記遊戯構造体の遊戯面は傾斜面をなし、遊戯者が遊戯面上を滑降可能に構成されてなる請求項１記載の遊戯装置。
【請求項３】
前記遊戯構造体の遊戯面は垂直面又は傾斜面をなし、該遊戯面上に複数の突出物が固着されてなる請求項１記載の遊戯装置。
【請求項４】
複数の前記液吐出手段を、前記遊戯構造体の中空部内の上部位置から下部位置にかけて、所定間隔で配設してなる請求項１乃至３記載のいずれかの遊戯装置。
【請求項５】
前記遊戯構造体の中空部内を照明する照明手段を備え、該中空部内を照らす光が前記透明部材を透過して、外部から観察されるように構成されてなる請求項１乃至４記載のいずれかの遊戯装置。
【発明の詳細な説明】
【技術分野】
【０００１】
本発明は、遊園地やデパート，スパーマーケットなどの遊戯コーナーに設置可能な遊戯装置に関する。
【背景技術】
【０００２】
遊園地に設置可能な遊戯装置として、従来、例えば、遊戯者が滑り降りることのできる滑降面を備えた滑り台を用意し、この滑り台の滑降面上に水を流す流水装置を設け、遊戯者が、流れる水と共に滑降面上を滑り降りるように構成されたウォータースライダと呼ばれる遊戯装置が知られている（特開２０００−１６７２５４号公報参照）。
【０００３】
このウォータースライダでは、水が流れる滑降面上を滑り降りることで、遊戯者と滑降面との間の摩擦抵抗が流水により軽減されて遊戯者の滑降速度が増し、流水を浴びながら滑降することと相俟って、遊戯者はスリリングで開放感にあふれた遊戯を楽しむことができる。
【０００４】
【特許文献１】特開２０００−１６７２５４号公報
【発明の開示】
【発明が解決しようとする課題】
【０００５】
ところが、上記従来のウォータースライダは上記効果を奏するものの、その反面、装置構成が大掛かりで、とてもデパートやスパーマーケットなど室内の遊戯コーナーに設置できるものではなく、また、夏場にしか利用することができないという問題があった。
【０００６】
また、滑降スピードが速いため、体格的に発育した青少年以上の者には適しているものの、幼児が利用することができないという問題もある。
【０００７】
本発明は、以上の実情に鑑みなされたものであって、幼児が手軽に楽しむことができ、しかも室内に設置可能な遊戯装置の提供を目的とする。
【課題を解決するための手段】
【０００８】
上記目的を達成するための本発明は、遊戯者が遊戯を行なう遊戯面を有し、該遊戯面は垂直面，傾斜面又は階段状の面をなし、少なくとも該遊戯面を構成する部材が透明な部材から構成された中空構造の遊戯構造体と、
前記遊戯構造体の中空部内の上部位置に配設され、前記透明部材の内側の面に向けて加圧された液体を吐出する液吐出手段と、
前記遊戯構造体の中空部内の下部領域に貯留された液体を加圧して前記液吐出手段に供給する液供給手段とを備えてなることを特徴とする遊戯装置に係る。
【０００９】
この遊戯装置によれば、まず、遊戯構造体の中空部内下部領域に所定量の液体が適宜供給，貯留される。そして、貯留された液体が液供給手段により加圧されて液吐出手段に供給され、液吐出手段によって、遊戯面を構成する透明部材の内側の面に向けて吐出される。吐出された流体は、透明部材の内側の面に沿って下方に流下し、このように流下する液流の様子が透明部材を透して外部から観察される。
【００１０】
斯くして、遊戯者は、透明部材を透して、川の流れのような液流を観察しつつ、遊戯面上で遊戯を行なうことができ、直接液体に触れることなく、あたかも川の流れの中や岩壁を流れる滝の中で遊戯を行なっているかのような感覚を味わうことができる。したがって、夏場に限ることなく一年を通して当該遊戯を行なうことができる。
【００１１】
また、中空構造を有する遊戯構造体の当該中空内部で液流を生じさせているので、液体が外部に漏れ出る心配がなく、他に液漏れ対策を施すことなく、室内の遊戯コーナーなどに設置することができる。
【００１２】
前記遊戯構造体は、その遊戯面が傾斜面をなし、遊戯者が当該遊戯面上を滑降可能に構成されたものとすることができる。この遊戯構造体の構成は、所謂、滑り台に相当するものであり、遊戯者は川の流れの中を滑り降りるかのような、ウォータースライダに似た感覚を味わうことができ、幼児でも手軽に当該遊戯を行なうことができる。
【００１３】
また、前記遊戯構造体は、その遊戯面が垂直面又は傾斜面をなし、該遊戯面上に複数の突出物が固着された構成とすることができる。突出物は、例えば、丸太に似た物や、小石に似た物であることができ、丸太状の物の場合には、これを梯子状に配置したり、小石状の物の場合には、任意不規則に配置することができる。
【００１４】
このようにすれば、あたかも岩壁を伝って流れる滝の中でロッククライミングを行なっているような感覚の遊戯を楽しむことができる。
【００１５】
また、複数の前記液吐出手段を、前記遊戯構造体の中空部内の上部位置から下部位置にかけて、所定間隔で配設した構成としても良い。このようにすれば、透明部材の内側の面に沿った液流を、面全域において途切れることなく形成することができ、特に遊戯面を階段状に構成した場合に効果的である。
【００１６】
また、前記遊戯構造体の中空部内を照明する照明手段を設け、該中空部内を照らす光が前記透明部材を透過して、外部から観察されるように構成しても良い。このようにすれば、液流が照明によって照らされて浮き立つと共に、照明効果と相俟って、より趣味感にあふれた環境とすることができる。
【発明の効果】
【００１７】
以上詳述したように、本発明によれば、中空構造の遊戯構造体の遊戯面を透明な部材から構成し、この透明部材の内側の面に向けて加圧された液体を吐出するようにしているので、遊戯者は、透明部材を透して、川や滝の流れのような液流を観察しつつ、遊戯面上で遊戯を行なうことができ、直接液体に触れることなく、あたかも川の流れの中や岩壁を伝って流れる滝の中で遊戯を行なっているかのような感覚を味わうことができる。また、夏場に限ることなく一年を通して当該遊戯を行なうことができ、室内の遊戯コーナーなどに設置することができる。
【００１８】
また、複数の前記液吐出手段を、前記遊戯構造体の中空部内の上部位置から下部位置にかけて、所定間隔で配設した構成とすれば、透明部材の内側の面に沿った液流を、面全域において途切れることなく形成することができ、更に、遊戯構造体の中空部内を照明する照明手段を設ければ、液流が照明によって照らされて浮き立つと共に、照明効果と相俟って、より趣味感にあふれた遊戯環境とすることができる。
【発明を実施するための最良の形態】
【００１９】
以下、本発明の具体的な実施形態について図１乃至図３に基づき説明する。図１は、本実施形態に係る遊戯装置の側断面図、図２は、図１における矢視Ａ方向の正面図、図３は、図１における矢視Ｂ方向の裏面図である。
【００２０】
図１に示すように、本例の遊戯装置１は、第１遊戯構造体２、第２遊戯構造体８、液供給手段１５、液吐出ノズル２０，２１及び照明ランプ２２，２３とを備えて構成される。
【００２１】
第１遊戯構造体２は、上下に所定間隔をあけて並設され、共に側断面形状が略Ｓ字形状をした上傾斜部材３及び下傾斜部材４と、これら上傾斜部材３及び下傾斜部材４の下端部に固着された下面部材５と、上傾斜部材３及び下傾斜部材４の両側端部にそれぞれ固着された２枚の側面部材６とからなる気密状の中空構造を備える。また、上傾斜部材３の両側縁にはサイドガード７，７がそれぞれ立設されている。
【００２２】
第２遊戯構造体８は、階段状に形成された上部材９と、この上部材９の下方に所定間隔をあけ傾斜して配設された下部材１０と、これら上部材９及び下部材１０の下端部に固着された下面部材１１と、上部材９及び下部材１０の両側端部にそれぞれ固着された２枚の側面部材１２とからなる気密状の中空構造を備える。また、上部材９の両側縁には手摺１３，１３がそれぞれ立設されている。
【００２３】
上記第１遊戯構造体２及び第２遊戯構造体８は、中空部が相互に連通するように上端部が接合され、当該接合部が中空の支柱１４によって支持されており、第１遊戯構造体２の中空部内における上端部付近に前記液吐出ノズル２０が配設され、第２遊戯構造体８の中空部内における上端部付近に前記液吐出ノズル２１が配設されている。尚、第１遊戯構造体２及び第２遊戯構造体８の下端部はそれぞれ床面Ｇ上に接地されている。また、第１遊戯構造体２の上傾斜部材３，下傾斜部材４，下面部材５及び側面部材６、並びに、第２遊戯構造体８の上部材９，下部材１０，下面部材１１及び側面部材１２はそれぞれアクリル板などの透明な部材から構成される。
【００２４】
液供給手段１５は、支柱１４の中空部内底部に設けられたポンプ１６と、一端が第１遊戯構造体２の下傾斜部材４を貫通して、当該第１遊戯構造体２の中空部内下部領域に接続し、他端が支柱１４を貫通してポンプ１６に接続した吸水管１７と、同じく一端が第２遊戯構造体８の下部材１０を貫通して、当該第２遊戯構造体８の中空部内下部領域に接続し、他端が支柱１４を貫通してポンプ１６に接続した吸水管１８と、支柱１４の中空部内に配設され、一端がポンプ１６に接続し他端が２つに分岐してその一方１９’が前記液吐出ノズル２０に接続し、他方１９”が前記液吐出ノズル２１に接続した給水管１９とから構成される。
【００２５】
図２及び図３に示すように、液吐出ノズル２０，２１は、それぞれ第１遊戯構造体２，第２遊戯構造体８の幅方向に沿って配設された管体からなり、管体の長手方向に所定間隔で穿設された吐出孔を備え、液吐出ノズル２０の吐出孔から上傾斜部材３の裏面に向けて液体が吐出され、液吐出ノズル２１の吐出孔から上部材９の裏面に向けて液体が吐出される。
【００２６】
また、前記照明ランプ２２は下傾斜部材４の下面に付設され、同じく、前記照明ランプ２３は下部材１０の下面に付設され、それぞれ図示しない電力供給源から電力を供給されて点灯する。
【００２７】
以上の構成を備えた本例の遊戯装置１によれば、まず、第１遊戯構造体２及び第２遊戯構造体８の各中空部内下部領域にそれぞれ所定量の液体（例えば、水）Ｌが適宜供給，貯留される。
【００２８】
ついで、照明ランプ２２，２３に電力が供給されてこれらが点灯するとともに、ポンプ１６が駆動され、第１遊戯構造体２及び第２遊戯構造体８内に貯留された液体Ｌがそれぞれ吸水管１７，１８を介してポンプ１６内に吸入され、当該ポンプ１６により加圧されて、給水管１９を介し液吐出ノズル２０，２１に供給される。
【００２９】
液吐出ノズル２０に供給された液体Ｌは、その吐出孔から上傾斜部材３の裏面に向けて吐出され、吐出された液体Ｌは、上傾斜部材３の裏面に沿いこれを伝って下方に流下し、このように流下する液流の様子が上傾斜部材３を透して外部から観察される。
【００３０】
同様に、液吐出ノズル２１に供給された液体Ｌは、その吐出孔から上部材９の裏面に向けて吐出され、吐出された液体Ｌは、上部材９の裏面に沿いこれを伝って下方に流下し、このように流下する液流の様子が上部材９を透して外部から観察される。
【００３１】
また、照明ランプ２２の点灯により、下傾斜部材４を透して第１遊戯構造体２の中空部内が照明され、上傾斜部材３を伝って流下する液流が当該照明によって浮き立たされる共に、照明効果と相俟って、より趣味感にあふれた遊戯環境が創出される。
【００３２】
第２遊戯構造体８についても同様に、照明ランプ２３の点灯により、下部材１０を透して第２遊戯構造体８の中空部内が照明され、上部材９を伝って流下する液流が当該照明によって浮き立たされる共に、照明効果と相俟って、より趣味感にあふれた遊戯環境が創出される。
【００３３】
斯くして、このようにして創出された遊戯環境の中で、遊戯者は、以下のようにして遊戯を楽しむことができる。
【００３４】
即ち、まず、遊戯者は、階段状に形成された第２遊戯構造体８の上部材９上を歩いて上り、その頂部に達した後に、尻餅を突いた状態で、第１遊戯構造体２の上傾斜部材３上を滑り降りるのである。
【００３５】
そして、その際、遊戯者は、上部材９や上傾斜部材３を透して、川の流れのような液流を観察しつつ、遊戯を行なうことができ、あたかも川の流れの中や岩肌を伝う滝の中を歩いたり、滑り降りているかのような感覚を味わうことができる。特に、幼児のような幼い者にとっては、今までに経験したことのない新鮮なものに感じられ、その楽しさが倍増したものとなる。
【００３６】
また、中空構造を有する第１及び第２遊戯構造体２，８の中空内部で液流を生じさせているので、遊戯の際に遊戯者が濡れることはなく、夏場に限られず一年を通して当該遊戯を楽しむことができる。
【００３７】
また、本例の遊戯装置１は、液体が外部に漏れ出る心配がなく、他に液漏れ対策を施すことなく、室内の遊戯コーナーなどに設置することができる。
【００３８】
以上、本発明の一実施形態について説明したが、本発明の採り得る具体的な態様は何らこれに限定されるものではない。
【００３９】
例えば、上例では、液吐出ノズル２０，２１をそれぞれ第１及び第２遊戯構造体２，８の中空部内上端部付近に配設したが、これに限るものではなく、例えば、図４に示すように、分岐した他方の給水管１９”を下部材１０上にこれに沿って斜め下方に延設し、この給水管１９”に所定間隔で複数の液吐出ノズル２１を接続させた構成としても良い。
【００４０】
このようにすれば、上部材９の裏面に沿った液流を、裏面全域において途切れることなく形成することができ、特に、階段状に形成された上部材９のの場合に効果的である。
【００４１】
また、第１及び第２遊戯構造体２，８の構造は、図５及び図６に示したものでも良い。尚、図５及び図６では、図１に示した第２遊戯構造体８に係る変形例を図示しており、図６は、図５における矢視Ｃ方向の裏面図である。
【００４２】
同図５及び図６に示すように、図示した第２遊戯構造体３０は、所定間隔をあけ傾斜して並設された上傾斜部材３１及び下傾斜部材３２と、これら上傾斜部材３１及び下傾斜部材３２の下端部に固着された下面部材３３と、上傾斜部材３１及び下傾斜部材３２の両側端部にそれぞれ固着された２枚の側面部材３４とからなる気密状の中空構造を備え、上傾斜部材３１表面（遊戯面）に複数の棒状（丸太状）の突出物３５を梯子状に固着せしめた構成を備える。
【００４３】
このようにすれば、遊戯者は、棒状の突出物３４に手足を掛けて登り上がることができ、岩壁を伝って流れる滝の中でロッククライミングを行なっているような感覚の遊戯を楽しむことができる。
【００４４】
この他、図７に示すように、棒状の突出物３５に代えて、小石状の突出物３６を任意不規則に固着させた構成としても良い。このようにしても、遊戯者は、小石状の突出物３６に手足を掛けて登り上がることができ、同様に岩壁を伝って流れる滝の中でロッククライミングを行なっているような感覚の遊戯を楽しむことができる。
【００４５】
更に、前記照明ランプ２２，２３の形態は特に限定されるものではなく、また、適宜防水対策を施して第１及び第２遊戯構造体２，８の中空部内に配置しても良い。
【産業上の利用可能性】
【００４６】
以上のように、本発明に係る遊戯装置は、幼児が手軽に楽しむことができ、しかも何らの支障もなく室内に設置することができる。
【図面の簡単な説明】
【００４７】
【図１】本発明の一実施形態に係る遊戯装置を示した側断面図である。
【図２】図１における矢視Ａ方向の正面図である。
【図３】図１における矢視Ｂ方向の裏面図である。
【図４】本発明の他の実施形態に係る遊戯装置を示した側断面図である。
【図５】本発明の他の実施形態に係る遊戯装置を示した側断面図である。
【図６】図５における矢視Ｃ方向の裏面図である。
【図７】図６と同方向の裏面図であって、本発明の他の実施形態に係る遊戯装置を示した裏面図である。
【符号の説明】
【００４８】
１    遊戯装置
２    第１遊戯構造体
３    上傾斜部材
４    下傾斜部材
５    下面部材
６    側面部材
７    サイドガード
８    第２遊戯構造体
９    上部材
１０  下部材
１１  下面部材
１２  側面部材
１３  手摺
１４  支柱
１５  液供給手段
２０  液吐出ノズル
２１  液吐出ノズル
３５  突出物
３６  突出物
【図１】
2005131207.tif 000003
【図２】
2005131207.tif 000004
【図３】
2005131207.tif 000005
【図４】
2005131207.tif 000006
【図５】
2005131207.tif 000007
【図６】
2005131207.tif 000008
【図７】
2005131207.tif 000009